(57)【要約】【課題】  静電気から表示素子の誤動作を防止するために、表示素子の内部の電極を互いに短絡させる場合、表示素子に情報を書き込む際は、当該電極の短絡を解除する必要があり、当該電極の短絡が解除された状態では、静電気による表示の誤動作を防止できないという問題があった。更に、表示素子が備える個別の電極の反対側の面の電極と、表示素子の内部の共通の電極とを短絡する場合、当該内部の電極の取り出し構造が複雑になるという問題があった。【解決手段】  外部から入射する光の反射または透過を、電圧で制御することにより情報を表示する表示素子と、前記表示素子の情報を表示する側の表面上に形成された透明な第１の導電膜と、前記第１の導電膜を形成した表示素子の面とは反対側の表面上に形成され、前記第１の導電膜と接続された第２の導電膜とを備える。【選択図】  図１
2005208348.tif 000002
【特許請求の範囲】
【請求項１】
外部から入射する光の反射または透過を、電圧で制御することにより情報を表示する表示素子と、
前記表示素子の情報を表示する側の表面上に形成された透明な第１の導電膜と、
前記第１の導電膜を形成した表示素子の面とは反対側の表面上に形成され、前記第１の導電膜と接続された第２の導電膜とを備えることを特徴とする情報表示装置。
【請求項２】
請求項１に記載の情報表示装置において、
前記表示素子に装着する導電性の筐体を更に備え、
前記第１の導電膜と、前記第２の導電膜とは、前記筐体を介して接続されていることを特徴とする情報表示装置。
【請求項３】
請求項１に記載の情報表示装置において、
前記表示素子に信号を供給する信号線を更に備え、
前記第１の導電膜と、前記第２の導電膜とは、前記信号線を介して同じ電位になるように接続されていることを特徴とする情報表示装置。
【請求項４】
請求項１乃至３のいずれかに記載の情報表示装置において、
前記表示素子は、電力非供給時に表示内容を保持する記憶性を有する反射型表示素子であることを特徴とする情報表示装置。
【請求項５】
請求項４に記載の情報表示装置において、
前記反射型表示素子は、電気泳動式の表示素子であることを特徴とする情報表示装置。
【請求項６】
請求項４乃至５のいずれかに記載の情報表示装置において、
前記表示素子は、所定の三原色のうちのそれぞれ異なる一色を表示する三種類の前記反射型表示素子が積層されていることを特徴とする情報表示装置。
【発明の詳細な説明】
【技術分野】
【０００１】
本発明は、携帯型情報機器の表示装置のような、情報表示装置に関する。
【背景技術】
【０００２】
従来、情報表示装置において、静電気による表示の誤動作を防止する方法としては、下記の特許文献１に記載のように、表示素子の内部にあって、表示素子で表示する情報を制御する一対の個別の電極と、当該電極と対向する共通の電極とを画像保持の状態時のみ短絡させていた。あるいは、表示素子が備える個別の電極と反対側の面に電極を設け、当該電極と、表示素子の内部にある共通の電極とを短絡させることにより、表示素子で表示している情報を静電気から保護していた。
【０００３】
【特許文献１】特開２００１−２４２８０５
【発明の開示】
【発明が解決しようとする課題】
【０００４】
しかしながら、特許文献１では、表示素子の内部の電極を互いに短絡させる場合、表示素子に情報を書き込む際は、当該電極の短絡を解除する必要があり、当該電極の短絡が解除された状態では、静電気による表示の誤動作を防止できないという問題があった。更に、表示素子が備える個別の電極の反対側の面の電極と、表示素子の内部の共通の電極とを短絡する場合、当該内部の電極の取り出し構造が複雑になるという問題があった。
【課題を解決するための手段】
【０００５】
上記した課題を解決するために、本発明の情報表示装置は、外部から入射する光の反射または透過を、電圧で制御することにより情報を表示する表示素子と、前記表示素子の情報を表示する側の表面上に形成された透明な第１の導電膜と、前記第１の導電膜を形成した表示素子の面とは反対側の表面上に形成され、前記第１の導電膜と接続された第２の導電膜とを備えることを特徴とする。
【０００６】
上記構成によれば、情報表示装置近傍に発生する静電気の電荷は、表示素子の両面上に設けられ、互いに接続された２つの導電膜に移動するため、帯電は分散される。従って、表示素子の内部の電圧は、静電気による影響は受けない。即ち、互いに接続された２つの導電膜に静電気の電荷を分散させることで、静電気による表示素子の表示の誤動作を容易に防止できる。加えて、表示素子の両面上に設けた２つの導電膜は、表示素子の表示状態に依らず、常に接続されている。従って、表示素子への情報の書き込み時においても、静電気による表示素子の表示の誤動作を防止できる。
【０００７】
上記した本発明の情報表示装置は、前記表示素子に装着する導電性の筐体を更に備え、前記第１の導電膜と、前記第２の導電膜とは、前記筐体を介して接続されている場合と、前記表示素子に信号を供給する信号線を更に備え、前記第１の導電膜と、前記第２の導電膜とは、前記信号線を介して同じ電位になるように接続されている場合とが考えられる。
【０００８】
表示素子に装着する導電性の筐体を備え、２つの導電膜は前記筐体を介して接続される場合、２つの導電膜を接続する接続線を情報表示装置内に設ける必要が無いため、情報表示装置の製作コストを下げることができる。
また、表示素子に信号を供給する信号線を備え、２つの導電膜は前記信号線を介して接続される場合、表示素子に表示信号を供給する信号線を使うため、電気絶縁性を有する筐体であっても、２つの導電膜を接続する接続線を情報表示装置内に設ける必要が無いため、情報表示装置の製作コストを下げることができる。
【０００９】
上記した本発明の情報表示装置では、前記表示素子は、電力非供給時に表示内容を保持する記憶性を有する反射型表示素子であることが好ましい。
【００１０】
更に、前記反射型表示素子は、電気泳動式の表示素子であることが好ましい。
【００１１】
上記した本発明の情報表示装置では、前記表示素子は、所定の三原色のうちのそれぞれ異なる一色を表示する三種類の前記反射型表示素子が積層されていることが好ましい。
【００１２】
上記構成によれば、三種類の反射型表示素子が積層された表示素子において、外側に向いた２つの面に導電膜が形成され、２つの導電膜は、三種類の反射型表示素子の表示状態に依らず、常に接続される。従って、三種類の反射型表示素子が積層された表示素子においても、静電気による表示の誤動作を防止できる。
【発明を実施するための最良の形態】
【００１３】
以下、本発明の実施形態について、情報表示装置の一例として、電気泳動式の反射型表示素子を備えた情報表示装置を用いて説明する。
【実施例１】
【００１４】
図１は、本発明の実施例１に係る情報表示装置１の構成を示す概略断面図である。情報表示装置１は、反射型の表示素子１０と、第１の導電膜である透明電極膜２１と、第２の導電膜である電極膜２２と、配線３０とで構成される。反射型の表示素子１０は、略板状で、外部から入力される表示信号に基づいて情報を表示する電気泳動方式の表示装置である。透明電極膜２１は表示素子１０の表示側の表面の表示面の全域に形成されている。また、電極膜２２は、透明電極膜２１を形成した表示素子１０の面とは反対側の表面の全域に形成されている。透明電極膜２１および電極膜２２は、配線３０で接続されているため、常に同じ電位である。
【００１５】
透明電極膜２１は、透明な材料をスパッタや蒸着により形成した電極であり、材料としては、例えば、ＩＴＯ（酸化インジウム・スズ）や酸化亜鉛や酸化スズ等を用いる。また、電極膜２２は、アルミニウム（Al）等の金属を蒸着等により形成した電極である。尚、電極膜２２は、本例では金属膜を採用したが、金属膜に限らず、透明電極膜２１と同様に透明な電極膜も考えられる。
【００１６】
図２は、マイクロカプセル１４の内部を示す概略断面図である。ここで、電気泳動方式の表示装置について、図１および図２を参照して説明する。表示素子１０は、対向配置された第１の基板１１および第２の基板１５と、各基板１１、１５の対向面に固定された第１の電極（共通電極）１３および第２の電極（画素電極）１２と、電気泳動分散液を内包するマイクロカプセル１４と、マイクロカプセル１４を固定する光透過性のバインダ１６とで構成されている。
【００１７】
この表示素子１０は、第１の基板１１の側から観察するように設計されており、第１の基板１１として透明なガラス基板を用い、第１の電極１２として、透明な材料で形成された電極であるＩＴＯ薄膜を用いている。第２の基板１５としてガラス基板を用い、第２の電極１３として形成されたアルミニウム（Al）の薄膜を用いている。両電極１２、１３間にマイクロカプセル１４が平板状に配置されている。尚、第１の基板１１および第２の基板１５は、本例ではガラス基板を採用したが、透明なプラスチック基板も考えられる。
【００１８】
マイクロカプセル１４の中には、図２に示すように、電気泳動粒子１４１と、電気泳動粒子１４１をマイクロカプセル１４内に分散させる溶媒１４３とが封入されている。電気泳動粒子１４１は、表示色である白色の酸化チタンの粒子であり、溶媒１４３は、染料等により黒色に着色された油状性液体である。また、電気泳動粒子１４１は、同一の極性で帯電している。従って、電気泳動粒子１４１は、両電極１２、１３の間に電圧を印加することにより、印加した電圧に従ってマイクロカプセル１４内の何れか一方の電極側に移動する。例えば、印加した電圧により、電気泳動粒子１４１がマイクロカプセル１４内の上方に移動した場合、表示素子１０の観察者は、電気泳動粒子１４１の色（白色）を見ることになる。また、印加した電圧により、電気泳動粒子１４１がマイクロカプセル１４内の下方に移動した場合、表示素子１０の観察者は、溶媒１４３の色（黒色）を見ることになる。
【００１９】
表示素子１０上でそれぞれのマイクロカプセル１４が示す色は、外部から入力される表示信号に基づき、第２の電極（画素電極）１２に印加される電圧によって決まる。更に、電圧の印加によりマイクロカプセル１４内で整列した電気泳動粒子１４１は、印加した電圧が解除されても、溶媒１４３の流動抵抗により、整列した状態が安定して維持されるため、表示素子１０における表示内容は保持される。
【００２０】
従って、電気泳動方式の表示装置は、表示信号と、駆動電圧とが供給されることで、表示信号に従った表示を行い、以降、表示素子１０での表示内容は、表示信号および駆動電圧が与えられなくても保持される。
【００２１】
以上の構成において、例えば、情報表示装置１の第１の基板１１側の近傍で発生した静電気の電荷は、透明電極膜２１内に伝播するとともに、当該透明電極膜２１と配線３０で接続された電極膜２２に向かって移動して、電極膜２２内に伝播する。即ち、静電気による帯電は、電極膜２１、２２に伝播することで分散されるため、表示素子１０の内部の両電極１２、１３は、静電気による影響を受けない。従って、情報表示装置１の表示素子１０は、静電気の影響を受けて表示が誤動作することはない。
【００２２】
図３は、透明電極膜２１および電極膜２２を導電性の筐体３１で接続した概略断面図である。筐体３１は、例えばアルミニウムのような導電性の金属または、導電処理をした樹脂を用いる。透明電極膜２１および電極膜２２は、筐体３１により電気的に接続される。
図４は、透明電極膜２１および電極膜２２を表示素子１０に信号を供給する信号線３２で接続した概略図である。信号線３２は、アルミニウム等の金属を蒸着することで形成され、表示素子１０の表示信号を制御する制御部４０のグランド（GND）と接続されている。
【００２３】
前述のような実施例１によれば、次にような効果がある。
（１）表示素子１０の表面上に形成した２つの電極膜を配線３０で接続することで、静電気による表示素子１０の表示への影響を排除できるため、情報表示装置１の静電気による表示の誤動作を低コストで防止できる。
（２）透明電極膜２１または電極膜２２上の静電気の電荷を、導電性の筐体３１やグランド接続された信号線３２を介して移動させることにより、静電気による電荷を効果的に放電できる。
（３）基板１１の表面には、透明な電極膜が形成されるため、基板１１に対するキズや汚れを防止できる。
【実施例２】
【００２４】
次に、本発明の実施例２について、図５を用いて説明する。尚、以下の説明では、既に説明した部分と同一の部分については、同一の符号を付してその説明を略する。
図５は、本実施例２の情報表示装置１の構成を示す概略断面図である。前記の実施例１では、表示素子１０は、表示色として白色の電気泳動粒子１４１を有していたが、本実施例２では、所定の三原色のうちのそれぞれ異なる一色を表示する三種類の表示素子１０Ｃ、１０Ｍ、１０Ｙを積層する。即ち、本実施例２の情報表示装置１は、内部の図示は略したが、表示色としてシアン色の電気泳動粒子を用いた表示素子１０Ｃと、表示色としてマゼンタ色の電気泳動粒子を用いた表示素子１０Ｍと、表示色としてイエロー色の電気泳動粒子を用いた表示素子１０Ｙとを備える。上記電気泳動粒子は、溶性アゾ系、モノアゾ系、ジスアゾ系などのアゾ顔料、フラロシアニン系、キナクリドン系、ペリリン系、ペノリン系、イソインドリン系などの帯電を帯びやすい多環式顔料を用いることができる。
【００２５】
表示素子１０Ｃ、１０Ｍ、１０Ｙ内の各マイクロカプセルは、情報表示装置１の観察面から見ると、横方向（表示面方向）に加えて、縦方向（表示素子積層方向）にもランダムに配置されている。当該ランダムな配置パターンは、予め検出され、情報表示装置１内に図示を略した情報テーブルとして記憶されている。
【００２６】
本実施例２の情報表示装置１では、横に並ぶ３個のマイクロカプセルを用いて１ドットの色を表現し、縦横各３個を一組とした９個のマイクロカプセル毎に情報テーブルから色配置データを取得している。従って、当該情報テーブルに基づいて、当該表示素子１０Ｃ、１０Ｍ、１０Ｙの電極間の電位差や電位差を与える時間を適切に制御することで、表示情報に応じたカラー表示や中間色表示が可能になる。
【００２７】
透明電極膜２１は、情報表示装置１の観察面である表示素子１０Ｃの上面に形成され、電極膜２２は、表示素子１０Ｙの下面に形成されている。透明電極膜２１および電極膜２２は、配線３０で接続されているが、実施例１と同様に、導電性を有する筐体３１や、表示素子１０に信号を供給する信号線３２を介して接続する構成も考えられる。
【００２８】
以上の構成において、例えば、情報表示装置１の観察面である表示素子１０Ｃの近傍で発生した静電気の電荷は、透明電極膜２１内に伝播するとともに、当該透明電極膜２１と配線３０で接続された電極膜２２に向かって移動して、電極膜２２内に伝播する。即ち、静電気の電荷は、表示素子１０Ｃ、１０Ｍ、１０Ｙの内部の電極には伝わらず、表示素子１０Ｃおよび表示素子１０Ｙの外側に向いた面に設けられた導電性を有する電極膜２１、２２に移動することで帯電が分散される。従って、表示素子１０Ｃ、１０Ｍ、１０Ｙの内部の電極は、静電気による影響を受けないため、表示情報は静電気により誤動作しない。
【００２９】
このような実施例２においても、実施例１と同様の効果を奏することができる。
【００３０】
なお、本発明は前記した実施例に限定されるものではなく、本発明の目的を達成できる範囲での変形や改良は、本発明に含まれるものである。
例えば、前記した実施例１および実施例２では、透明電極膜２１と、表示素子１０の観察する側の第１の基板１１との間に、表示素子１０上での位置を指示するための抵抗方式のタッチパネルが形成されていても良い。
また、前記した実施例１では、透明電極膜２１と、表示素子１０の観察する側の第１の基板１１との間に、所定の三原色を配置したカラーフィルターが形成されていても良い。
更に、前記した実施例１および実施例２では、透明電極膜２１は、例えばシリコン素材のような透明シール部材の表面上に形成され、当該シールは、表示素子１０の観察する側の第１の基板１１上に交換可能に貼付されても良い。
【図面の簡単な説明】
【００３１】
【図１】実施例１の情報表示装置の構成を示す概略断面図。
【図２】実施例１におけるマイクロカプセルの内部を示す概略断面図。
【図３】実施例１における透明電極膜および電極膜を導電性の筐体で接続した概略断面図。
【図４】実施例１における透明電極膜および電極膜を表示素子に信号を供給する信号線で接続した概略図。
【図５】実施例２の情報表示装置の構成を示す概略断面図。
【符号の説明】
【００３２】
１…情報表示装置、１０…表示素子、１１…第１の基板、１２…第１の電極、１３…第２の電極、１４…マイクロカプセル、１５…第２の基板、１６…バインダ、２１…透明電極膜、２２…電極膜、３０…配線、３１…筐体、３２…信号線、４０…制御部、１４１…電気泳動粒子、１４３…溶媒。
【図１】
2005208348.tif 000003
【図２】
2005208348.tif 000004
【図３】
2005208348.tif 000005
【図４】
2005208348.tif 000006
【図５】
2005208348.tif 000007